(57)【特許請求の範囲】
【請求項１】
移動可能な搬送台車基台と、
搬送物を載置すると共に前記搬送物が滑動する滑動具を有する荷台と、
前記搬送台車基台と前記荷台との間に設けられ、前記荷台を上下方向に移動させながら前後部に移動させると共に前記荷台を前部側に移動させた際に前記荷台を前部側が低くなるように傾斜させる荷台揺動手段と、
前記搬送台車基台に設けられ、前記荷台を後部側に移動させた際に前記荷台揺動手段を所定の位置に停止させる荷台後部側位置停止手段と、
前記搬送台車基台に設けられ、前記荷台を前部側に移動させた際に前記荷台揺動手段を所定の位置に停止させる荷台前部側位置停止手段とを備え、
前記搬送台車基台の前部側には前記搬送台車基台の位置を定め停止させる搬送台車基台位置停止手段が設けられ、
前記搬送台車基台位置停止手段は前記搬送台車基台に取付けられ前部側に直線状に伸長すると共に後部側へ折れ曲がる伸長折曲金具と、前記伸長折曲金具の先端にほぼ垂直状態になるように固定されたバンパーを有し、前記荷台の後部側への移動に伴って作動する収納手段により前記搬送台車基台と前記荷台との間に収納されることを特徴とする搬送台車。
【請求項２】
前記収納手段は一端が前記前記伸長折曲金具の先端に揺動自在に接続され他端が前記荷台の後部側近傍に伸びる操作レバーと、前記操作レバーの後部側近傍に前記操作レバーから突出た係止レバーと、前記荷台の側面からほぼ水平方向に突出ており前記荷台の後部側への移動に伴って前記係止レバーと係合し前記操作レバーを後部側へ移動させる係止ピンとを備えていることを特徴とする請求項1記載の搬送台車。
【請求項３】
前記荷台揺動手段は前記搬送台車基台と前記荷台とに揺動自在に取付けられた同じ長さＬ１の一対の前部側ロッド及び一対の後部側ロッドを有し、前記荷台側の前部側ロッドと後部側ロッドとの荷台側ロッド間長さＬ２を前記搬送台車基台側の前部側ロッドと後部側ロッドとの搬送台車基台側ロッド間長さＬ３より僅かに長く設定されていることを特徴とする請求項１又は２記載の搬送台車。
【請求項４】
前記前部側ロッドには、前記荷台が前記荷台後部側位置停止手段により所定の位置に停止すると前記荷台に載置された搬送物が前部側へ移動するのを阻止する搬送物移動停止手段が設けられていることを特徴とする請求項３記載の搬送台車。
【請求項５】
前記搬送台車基台には当該搬送台車基台の後部側に当該搬送台車基台の移動をロックさせる停止ロック装置が取付けられていることを特徴とする請求項１〜４のいずれか一つに記載の搬送台車。
【請求項６】
前記停止ロック装置は足踏みで作動することを特徴する請求項５記載の搬送台車。
【請求項７】
前記滑動具はローラーコンベアーであることを特徴とする請求項１〜６のいずれか一つに記載の搬送台車。
【発明の詳細な説明】
【技術分野】
【０００１】
本発明は工場等で製品等が収納された搬送物を所定の位置から他の位置まで搬送する搬送台車に係るもので、特に高い位置の搬送物を搬入し、低い位置へ搬出する搬送台車に好適である。
【背景技術】
【０００２】
従来、図７（ａ）に示すように完成品置場（シュート）のローラーコンベア１に載置された製品等が収納された搬送物２を倉庫のローラーコンベア３に移動して搬送する場合、作業者Ａが完成品置場のローラーコンベア１から搬送物２を取って持ち、倉庫の方へ歩いて運び、倉庫のローラコンベア３の上に載置して搬送物２の搬送を行っている。そして搬送物２の重量は５〜１０Ｋｇ程度、一日の搬送回数はほぼ３４０回程度を要している。
【０００３】
また、完成品置場のローラーコンベア１の高さＨ１（７４０ｍｍ程度）は倉庫のローラコンベア３の高さＨ２（５３０ｍｍ程度）より高くなっており、作業者２の搬送範囲も図７（ｂ）に示すように完成品置場と倉庫との距離Ｌは６ｍほどあり、また、倉庫の間口Ｍ（幅）は１８ｍほどあり、作業者Ａは重量のある搬送物２を、高さの異なる２位置間で相当の距離を持って搬送している。そのため作業者に多大な負荷がかかっている。
【０００４】
また、従来より搬送物の搬送に搬送台車が使用されているが、従来の搬送台車を高さの異なる２位置間の搬送に使用した場合、搬送物を作業者が搬送台車に載せたり、搬送台車から降ろしたりしなければならず、やはり従来の搬送台車を使用しても作業者に相当の負荷がかかるという問題がある。
【０００５】
下記特許文献１に記載の搬送台車においても上述した同様の問題がある。
【特許文献１】特開２００４−２２４２２９号公報
【発明の開示】
【発明が解決しようとする課題】
【０００６】
本発明は上記の点に鑑みてなされたもので、移動可能な搬送台車基台と搬送物を載置すると共に前記搬送物が滑動する滑道具を有する荷台との間に前記荷台を上下方向に移動させながら前後部方向に移動させると共に前記荷台を前部側方向に移動させた際に前記荷台を前部側が低くなるように傾斜させる荷台揺動手段を設けることにより、一方の位置から低い他方の位置への搬送物の搬送を作業者が直接持ち運びすることなく可能にして作業者の搬送作業の負荷を大幅に低減できる搬送台車を提供することにある。
【課題を解決するための手段】
【０００７】
請求項１に係る発明では、移動可能な搬送台車基台と、搬送物を載置すると共に前記搬送物が滑動する滑動具を有する荷台と、前記搬送台車基台と前記荷台との間に設けられ、前記荷台を上下方向に移動させながら前後部に移動させると共に前記荷台を前部側に移動させた際に前記荷台を前部側が低くなるように傾斜させる荷台揺動手段と、前記搬送台車基台に設けられ、前記荷台を後部側に移動させた際に前記荷台揺動手段を所定の位置に停止させる荷台後部側位置停止手段と、前記搬送台車基台に設けられ、前記荷台を前部側に移動させた際に前記荷台揺動手段を所定の位置に停止させる荷台前部側位置停止手段とを備え、前記搬送台車基台の前部側には前記搬送台車基台の位置を定め停止させる搬送台車基台位置停止手段が設けられ、前記搬送台車基台位置停止手段は前記搬送台車基台に取付けられ前部側に直線状に伸長すると共に後部側へ折れ曲がる伸長折曲金具と、前記伸長折曲金具の先端にほぼ垂直状態になるように固定されたバンパーを有し、前記荷台の後部側への移動に伴って作動する収納手段により前記搬送台車基台と前記荷台との間に収納されることを特徴とする。
【０００８】
上記構成によれば、前記荷台揺動手段により前記荷台の高さを搬送物の搬入高さ及び搬出高さに設定できると共に前記荷台を前部側方向に低く傾斜させることができ、前記搬送台車基台位置停止手段を所定の機材に当接させるだけで前記搬送台車基台を所定の位置に停止させることができるので、目視等による停止位置の確認を要せず、従って作業者の搬送作業の負荷を軽減することができる。
また、搬送物の搬入が容易となり、且つ搬送物の搬出も自重滑動させることができ作業者の搬送物の搬送作業の負荷を大幅に低減できる。また、前記荷台後部側位置停止手段と荷台前部側位置停止手段とを備えているから、搬送物が載置された前記荷台を所定の位置に確実に停止させることができる。
また、前記搬送台車基台と機材との距離が正確に定まるので、前記荷台を前部側へ揺動移動させた際、前記荷台の前部が倉庫の機材等に乗り上げるのを防止できる。
加えて、搬送物を排出する倉庫等の機材に前記バンパーを当接させて前記荷台の前部側の位置、高さを設定でき、従って、搬送物の倉庫等への搬出を可能にする。
また、前記バンパー、伸長折曲金具は前記搬送台車基台と前記荷台との間に収納されるから他の機材等への当たりや引っ掛りがない。
【０００９】
請求項２に係る発明では、前記収納手段は一端が前記前記伸長折曲金具の先端に揺動自在に接続され他端が前記荷台の後部側近傍に伸びる操作レバーと、前記操作レバーの後部側近傍に前記操作レバーから突出た係止レバーと、前記荷台の側面からほぼ水平方向に突出ており前記荷台の後部側への移動に伴って前記係止レバーと係合し前記操作レバーを後部側へ移動させる係止ピンとを備えていることを特徴とする。
【００１０】
上記構成によれば、前記荷台の後部側への移動に伴って前記係止ピンと前記係止レバーとの係合により前記操作レバーを後部側へ自動的に移動させているから、作業者の収納作業を廃止でき搬送作業を軽減できる。
【００１１】
請求項３に係る発明では、前記荷台揺動手段は前記搬送台車基台と前記荷台とに揺動自在に取付けられた同じ長さＬ１の一対の前部側ロッド及び一対の後部側ロッドを有し、前記荷台側の前部側ロッドと後部側ロッドとの荷台側ロッド間長さＬ２を前記搬送台車基台側の前部側ロッドと後部側ロッドとの搬送台車基台側ロッド間長さＬ３より僅かに長く設定されていることを特徴とする。
【００１２】
上記構成によれば、前記荷台の上下方向移動に伴う前後部方向移動の揺動及び前記荷台の前部側方向への傾斜を確実に行うことができる。
【００１３】
請求項４に係る発明では、前記前部側ロッドには、前記荷台が前記荷台後部側位置停止手段により所定の位置に停止すると前記荷台に載置された搬送物が前部側へ移動するのを阻止する搬送物移動停止手段が設けられていることを特徴とする。  
【００１４】
上記構成によれば、前記搬送物移動停止手段によって前記荷台の搬送物の移動落下を確実に防ぐことができる。
【００１５】
請求項５に係る発明では、前記搬送台車基台には当該搬送台車基台の後部側に当該搬送台車基台の移動をロックさせる停止ロック装置が取付けられていることを特徴とする。
【００１６】
上記構成によれば、停止ロック装置を設けているから、搬送物を前記荷台に搬入する際の前記搬送台車基台の移動を防止でき、安全確実に搬送物の前記荷台への搬入ができる。
【００１７】
請求項６に係る発明では、前記停止ロック装置は足踏みで作動することを特徴とする。
【００１８】
上記構成によれば、前記停止ロック装置を足踏みで作動させているから、作業者の搬送作業における動きを極めて簡素にすることができる。
【００１９】
請求項７に係る発明では、前記滑動具はローラーコンベアーであることを特徴とする。
【００２０】
上記構成によれば、ローラーコンベアーを使用しているから、搬送物の搬入、搬出時の移動を確実、スムースに行うことができる。
【発明を実施するための最良の形態】
【００２５】
以下、本発明の実施形態を図に基づき説明する。図１、図２は本発明になる搬送台車の基本構造を示すもので、図２は図１の後部側から見た側面図である。説明文中「前部側」、「後部側」及び「上方向」、「下方向」の記載は図中に図示する方向を示す。
【００２６】
本発明搬送台車の基本構造は移動可能な搬送台車基台１０、搬送物２が載置される荷台２０、搬送台車基台１０と荷台２０との間に取付けられた荷台揺動手段３０を備えている。
【００２７】
搬送台車基台１０は金属パイプ材よりなる４本（２本は図面の垂直方向にあるため図示されない）の支柱１１及び同材の横棒１２で矩形状に組立てられている。支柱１１の下部にはロック付きキャスター１３がそれぞれ取付けられている。また、搬送台車基台１０の後部側の２本の取付け棒１４ｂの方中央部には足踏みで操作する足踏みペダル１４ａ付きの停止ロック装置１４が取付けられており、ペダル１４ａを踏むと停止ロック装置１４が上下方向に伸びて地面に当接し搬送台車基台１０の後部側を持ち上げ搬送台車基台１０の移動をロックする。なお、当該停止ロック装置１４は通常使用されているものである。
【００２８】
荷台２０も金属パイプ材よりなる横棒２１で矩形状に組立てられおり、後部側には同材の把手棒２２が横棒２１に直角に取付けられている。把手棒２２には把手２３が水平に取付けられている。また、荷台２０の上面の両側には滑動具としてのローラーコンベアー２４が一対取付けられており、載置される搬送物２の滑動を良好にする。
【００２９】
荷台揺動手段３０は一対の前部側ロッド３１と一対の後部側ロッド３２を有し、両ロッド３１、３２の長さは同じであり、搬送台車基台１０と荷台２０にそれぞれヒンジ３３を介して揺動自在に取付けられている。各ロッド３１、３２の長さＬ１を本例では２４７ｍｍに設定している。なお、ロッド３１、３２の長さＬ１とは両端のヒンジ３３間の長さである。
【００３０】
また、荷台２０側の前部側ロッド３１と後部側ロッド３２との荷台側ロッド間長さＬ２は搬送台車基台１０側の前部側ロッド３１と後部側ロッド３２との搬送台車基台側ロッド間長さＬ３より僅かに長く設定されている。本例では荷台側ロッド間長さＬ２を３７０ｍｍ、搬送台車基台側ロッド間長さＬ３を３５７ｍｍに設定している。なお、荷台側ロッド間長さＬ２、搬送台車基台側ロッド間長さＬ３とはヒンジ３３間の長さである。
【００３１】
荷台２０側ロッド間長さＬ２を搬送台車基台１０側ロッド間長さＬ３より僅かに長く設定することにより、前部側ロッド３１と搬送台車基台１０の横棒１２とのなす角度Ｘが後部側ロッド３２と横棒１２とのなす角度Ｙより小さい状態をなす。なお、角度Ｘ、角度Ｙは図示するように前部側の角度を言う。
【００３２】
荷台２０側ロッド間長さＬ２を搬送台車基台１０側ロッド間長さＬ３より僅かに長く設定することにより、両ロッド３１、３２の揺動により荷台２０は前部側へ揺動移動すると図１の点線で示すように荷台２０はその前部側が低くい傾斜状態を呈する。この傾斜状態は荷台２０側ロッド間長さＬ２と搬送台車基台１０側ロッド間長さＬ３との比が大きくなるに連れ、或は荷台２０の前部側への移動を多くすると、角度差（Ｙ−Ｘ）が次第に大きくなり荷台２０は次第に前部側への傾斜度合いが増す（急傾斜状態）。本発明では荷台２０を前部側方向へ傾斜させることにより、搬送物２の搬出時ローラーコンベアー２４を介しその自重を利用して行っている。
【００３３】
また、搬送台車基台１０の後部側には荷台２０を後部側へ揺動移動させた際（図１の実線で示す状態）、荷台揺動手段３０の後部側ロッド３２を所定位置に停止させる荷台後部側停止手段１５が設けられている。具体的には図２に示すように両支柱１１、１１を接続している横棒１５である。この荷台後部側停止手段１５によって荷台２０は水平状態もしくはやや後部側が前部側より下がった状態を呈する。従って、荷台２０の搬送物２は安定状態に載置される。
【００３４】
また、搬送台車基台１０の前部側には荷台２０を前部側へ揺動移動させた際（図１の点線で示す状態）、荷台揺動手段３０の前部側ロッド３１を所定位置に停止させる荷台前部側停止手段１６が設けられている。具体的には荷台後部側停止手段１５と同様両支柱１１、１１を接続している横棒１６である。この荷台前部側停止手段１６によって荷台２０は前部側へ低く傾斜した状態を保ち所定の高さ、すなわち倉庫のローラーコンベアー３の高さＨ２を維持する。従って、荷台２０の搬送物２はローラーコンベアー２４を介して前部側へ滑動する状態になる。なお、荷台前部側停止手段１６としての横棒１６が前部側の一対の支柱１１、１より少なくとも支柱１１、１１の幅（径）分だけ内側（後部側）に位置して固定されている。これは後述するように伸長折曲金具５２のヒンジ５１が支柱１１、１１のほぼ中心に位置し、伸長折曲金具５２がヒンジ５１で折れ曲がった際、伸長折曲金具５２が横棒１６に当接しないようにするためである。
【００３５】
図３（ａ）、（ｂ）により上記構成になる本発明搬送台車による搬送物２の搬入、搬出を説明する。
【００３６】
まず、図３（ａ）に示すように搬送台車基台１０の前部側のキャスター１３を完成品置場のローラーコンベアー１の支柱に当接させて位置を定める。位置が定まると停止ロック装置１４のペダル１４ａを作業者が踏み、搬送台車基台１０の後部側のキャスター１３を浮き上がらせ搬送台車基台１０の位置をロックする。この時、荷台２０は実線で示す後部側に揺動した位置を呈する。
【００３７】
次に荷台２０の把手２３を前部側へ押すと荷台揺動手段３０の前部側ロッド３１、後部側ロッド３２が前部側へ揺動移動し、荷台２０の前部が完成品置場のローラーコンベアー１に当接する。この場合完成品置場のローラーコンベアー１の高さと荷台２０のローラーコンベアー２４の高さが同じになるように前部側ロッド３１、後部側ロッド３２の長さが設定されている。また、この状態では荷台２０は極僅かに前部側に傾斜した状態を呈しているが搬送物２の完成品置場のローラーコンベアー１から荷台２０のローラーコンベアー２４への搬入にはほとんど支障を来たさない。また、本例では完成品置場のローラーコンベアー１の高さが倉庫のローラーコンベア３の高さより高いので、荷台２０の前部側への移動距離は小さくてよく、キャスター１３が最も前部側に位置するためキャスター１３を完成品置場のローラーコンベアー１に当接して搬入時の搬送台車基台１０の位置を定める。従って、搬入時は前部側ロッド３１は荷台前部側停止手段１６（横棒１６）に当接しない。
【００３８】
搬送物２が荷台２０のローラーコンベアー２４上に載置されると把手２３を後部側に引き、前部側ロッド３１、後部側ロッド３２を後部側へ揺動させ後部側ロッド３２を荷台後部側停止手段１５に当接して荷台２０の後部側の位置を定める。
【００３９】
次に図３（ｂ）に示すように搬送台車基台１０を倉庫のローラーコンベアー３の近傍の所定の位置に止め停止ロック装置１４で搬送台車基台１０を停止ロックする。荷台２０の把手２３を前部側へ押出すと荷台揺動手段３０の前部側ロッド３１、後部側ロッド３２が前部側へ揺動移動し、荷台２０は点線で示すように前部側へ低く傾斜し、荷台２０の前部が倉庫のローラーコンベアー３に当接する。この場合、倉庫のローラーコンベアー３の高さＨ２が完成品置場のローラーコンベアー１の高さに比べて低い（本例では高さの差は２１０ｍｍ程度）ので荷台２０の前部側への傾斜はかなり生じる。そのため荷台２０のローラーコンベアー２４上の搬送物２はローラーコンベアー２４を介して自重により滑動し、倉庫のローラーコンベアー３上に移動し載置される。
【００４０】
このように本発明においては、荷台揺動手段３０により荷台２０の高さを搬送物２の搬入高さ及び搬出高さに設定して荷台２０を前部側方向に低く傾斜させることができ、従って、搬送物２の搬入が容易となり、且つ搬送物の搬出も自重滑動させることができ作業者の搬送物の搬送作業の負荷を大幅に低減できる。また、荷台後部側位置停止手段１５及び荷台前部側位置停止手段１６を備えているから搬送物２が載置された荷台２０を所定の位置（搬送物の搬入位置及び搬出位置）に停止維持させることができる。
【００４１】
次に図４（ａ）、（ｂ）により本発明における搬送物移動停止手段４０を説明する。前部側ロッド３１にこの前部側ロッド３１に対して所定の角度Ｚで前部側及び上方向へ伸びる停止棒４１が固定されている。この搬送物移動停止手段４０の停止棒４１は図４（ｂ）に示すように前部側ロッド３１、後部側ロッド３２を後部側へ揺動させ後部側ロッド３２を荷台後部側停止手段１５に当接して荷台２０の後部側の位置を定めた状態で荷台２０の面に対してほぼ直交する状態を呈する。従って、本発明の搬送台車をその荷台２０に搬送物２を載置した状態で移動しても搬送物２が荷台２０から移動し落下するのを防止できる。なお、停止棒４１が荷台２０内に揺動する領域には停止棒４１と当接する部材は設けられていない。また、本例では停止棒４１の前部側ロッド３１に対する取付け角度Ｚは４０〜４５°である。
【００４２】
図３（ｂ）に示す状態では搬送台車基台１０の停止位置は床に前部側のキャスター１３の停止線を画く等して定めることができるが、搬送台車基台１０の停止位置を正確かつ迅速に設定するために本例では搬送台車基台位置停止手段とその収納手段が設けられている。以下図５、図６、図７により構成、作用を説明する。図５（ａ）、（ｂ）、（ｃ）は搬送台車基台位置停止手段５０をセットする状態を示し、図６（ａ）、（ｂ）、（ｃ）は搬送台車基台位置停止手段５０を搬送台車基台１０と荷台２０との間に収納手段６０により収納する状態を示す。図７は搬送台車基台位置停止手段５０及び収納手段６０の一部を示す前部側斜視図である。
【００４３】
図５、図７において、搬送台車基台１０の前部側の一対の横棒１２には接続横棒１２ａが固定され、この接続横棒１２ａに直線状に前部側へ水平方向に伸長すると共にヒンジ５１により９０°以上折れ曲がる一対の伸長折曲金具５２が取付けられ、その先端は金具接続横棒５２ａで接続固定されている。金具接続横棒５２ａには水平方向直線状態の伸長折曲金具５２とほぼ直交（垂直）して上方に伸びるパイプ材のバンパー５３が固定されている。また、一対の横棒１２には接続補助棒１２ｂが水平に固定されおり、伸長折曲金具５２が直線状伸長状態になった時の伸長折曲金具５２の支え補助をする。従って、接続補助棒１２ｂは伸長折曲金具５２の厚み分だけ横棒１２の水平位置より低い位置に固定されている。また、一対のヒンジ５１は伸長折曲金具５２において支柱１２の近傍に位置している。
【００４４】
バンパー５３は水平方向に伸び（図５では図面と直交方向に伸びている）金具接続横棒５２ａと共に四角状（パイプ材で四角状に組立てられた矩形状）になっており、バンパー５３の当接領域（面積）を広くしている。この伸長折曲金具５２（金具接続横棒５２ａも含む）とバンパー５３で搬送台車基台位置停止手段５０を構成している。
【００４５】
なお、バンパー５３は伸長折曲金具５２の位置状態（例えば水平方向より上方向に少し傾斜した状態）に係わらず常に上方垂直（鉛直）状態になるように伸長折曲金具５２の固定されていることが望ましい。また、バンパー５３の上方垂直方向の高さ、水平方向（図５においては図面と直交する方向）の幅は使用する状況の応じて適宜その寸法を設定すればよい。また、バンパー５３には当接力が作用するため伸長折曲金具５２とは強固に固定することが望ましい。伸長折曲金具５２は直線状に前部側へ水平方向に伸長して位置状態が定まる構造が最も望ましい。これはバンパー５３に作用する当接力が水平方向であるため、この水平方向当接力を伸長折曲金具５２が上下方向に作用されることなく受け止めることができるためである。
【００４６】
次に、収納手段６０の構成を説明する。伸長折曲金具５２の先端とバンパー５２とを接続する金具接続横棒５２ａに荷台２０の後部側近傍に伸びる操作レバー６１が揺動自在に接続されている。操作レバー６１は伸長折曲金具５２、バンパー５３に対して所定の間隔（図５においては図面の直交方向の間隔）を持って接続されている。
【００４７】
操作レバー６１の後部側近傍には操作レバー６１から斜め外側下方へ突出た係止レバー６２が設けてある。これは係止レバー６２は垂直下方に突出ていないので、その先端の位置は垂直下方に突出した場合より高い位置を保ち、後述する係止ピン２５が後部側から前部側へ移動する際、係止ピン２５が係止レバー６２の先端部に接触しても係止レバー６２が押上げられ易いようにしているためである。
【００４８】
また、荷台２０の側面には水平方向へ突出た断面円形の棒状係止ピン２５が設けられており、係止ピン２５の長さは操作レバー６１の位置より外側方向に充分長くしてあり、係止ピン２５が係止レバー６２と確実に係合する長さになっている。なお、操作レバー６１には荷台２０に保持するための操作レバー保持部６３が設けてある。
【００４９】
上記操作レバー６１、係止レバー６２及び係止ピン２５により搬送台車基台位置停止手段５０を搬送台車基台１０と荷台２０との間に収納する収納手段６０を構成している。
【００５０】
以下、収納手段６０の作用を説明する。先ず、図５（ａ）に示すように荷台２０が後部側に位置した状態で倉庫の近傍に本発明搬送台車が移動してくる。この時、停止ロック装置１４はロックが外れた状態になっている。
【００５１】
次に、図５（ｂ）に示すように操作レバー６１の操作レバー保持部６３を荷台２０から外して操作レバー６１を前部側へ移動させる。操作レバー６１の前部側への移動により搬送台車基台位置停止手段５０の伸長折曲金具５２とバンパー５３がその自重により前部側へ揺動移動し伸長折曲金具５２は水平状態、バンパー５３はほぼ垂直状態を呈する。これにより搬送台車基台位置停止手段５０が設定され倉庫のローラーコンベアー３に当接して搬送台車基台１０の位置を設定できる。その後、停止ロック装置１４を操作して搬送台車基台１０をロックする。
【００５２】
このように搬送台車基台１０の前部側に搬送台車基台位置停止手段５０を設けることにより、搬送台車基台位置停止手段５０を所定の機材本例では倉庫のローラーコンベアー３に当接させるだけで搬送台車基台１０を所定の位置に停止させることができるので、目視等による停止位置の確認を要せず、従って作業者の搬送作業の負荷を軽減することができる。また、搬送台車基台位置停止手段５０を設けることにより、搬送台車基台１０の前部側とローラーコンベアー３との距離を正確にとることができるので、荷台２０を前部側へ揺動移動させた際、荷台２０の前部が倉庫のローラーコンベアー３に乗り上げるのを防止できる。また、操作レバー６１を前部側へ移動させると重心が前部側に移動して伸長折曲金具５２とバンパー５３は自重で図示するよな水平、垂直状態になる。従って、操作レバー６１を前部側へ長く移動させる必要はない。
【００５３】
次に、図５（ｂ）に示す状態から、作業者が搬送台車基台１０の例えば取り付け棒１４ｂに片足を掛け踏み押さえながら荷台２０を前部側へ移動させる。この時、係止ピン２５は係止レバー６２の先端部に軽く接触するが、係止ピン２５は係止レバー６２を軽く擦るながら前部側へ移動する。次に、図５（ｃ）示すように荷台２０を前部側へ移動させると上述したように荷台２０は前部側へ低く傾斜し、その先端すなわち荷台２０のローラーコンベアー２４の先端が倉庫のローラーコンベアー３の高さと一致し、荷台２０の搬送物２が倉庫のローラーコンベアー３上に移動載置される。この荷台２０の前部側への移動により、係止ピン２５も一緒に移動するが図示するように係止ピン２５は操作レバー６１の後部側に位置している。すなわち、係止ピン２５は操作レバー６１を通過しない。以上が搬送台車基台位置停止手段５０をセットする作動である。
【００５４】
次に、図６（ａ）、（ｂ）、（ｃ）では搬送台車基台位置停止手段５０を搬送台車基台１０と荷台２０との間に収納手段６０により収納する作用を説明する。
【００５５】
先ず、図６（ａ）に示すように、停止ロック装置１４のロックを外し作業者が搬送台車基台１０の例えば取付け棒１４ｂに片足を掛け踏み押さえながら荷台２０を後部側へ移動させる。荷台２０の後部側への移動により係止ピン２５も一緒に後部側へ移動し始める。停止ロック装置１４のロックを外すと倉庫のローラーコンベアー３とバンパー５３との当接力が緩み、荷台２０の移動が容易になる。また、停止ロック装置１４のロックを外した後、搬送台車基台１０を少し後部側へ移動させ、バンパー５３をローラーコンベアー３から離し、ローラーコンベアー３とバンパー５３とを当接力を完全に無くした後荷台２０を後部側へ移動させてもよい。
【００５６】
次に、図６（ｂ）に示すように、荷台２０の移動と共に係止ピン２５は操作レバー６１を前部側から後部側へ通過し、係止レバー６３に係合する。係止ピン２５が操作レバー６１を通過する際上述したように操作レバー６１と極軽微な接触があるが擦って通過する。更に、荷台２０を後部側へ移動させると係止ピン２５も後部側へ移動し、係合している係止レバー６２を移動させる。すなわち操作レバー６１を後部側へ移動させようとする。操作レバー６１の後部側への移動力により、操作レバー６１と先端で揺動自在に接続されている搬送台車基台位置停止手段５０としての伸長折曲金具５２がヒンジ５１の作用により後部側へ９０°以上折れ曲る。これにより伸長折曲金具５２と固定されているバンパー５３は更に後部側に揺動しながら移動する。そしてさらに荷台２０を後部側へ移動させると係止ピン２５も係止レバー６２を外方へ押上げて後部側へ移動する。
【００５７】
このようにして搬送台車基台位置停止手段５０（伸長折曲金具５２、バンパー５３）は搬送台車基台１０と荷台２０との間に収納される。従って、他の機材等への当たりや引っ掛りを防止できる。なお、この時伸長折曲金具５２が折れ曲がり更にバンパー５３が伸長折曲金具５２に対してほぼ垂直に固定されているので、伸長折曲金具５２とバンパー５３は図５（ｃ）に示すように後部側へ且つ上方向に大きく折れ曲り、前述したように荷台前部側位置停止手段１６としての横棒１６に当接することはない。
【００５８】
なお、係止ピン２５と係止レバー６３との係合により操作レバー６１が後部側へ移動し始めると伸長折曲金具５２とバンパー５３も後部側へ揺動移動し、伸長折曲金具５２とバンパー５３との自重により伸長折曲金具５２とバンパー５３が後部側への揺動を続けるため、操作レバー６１も自動的に後部側へ移動する。そのため作業者は操作レバー６１を後部側へ移動（引く）させることなく、荷台２０のみを後部側へ移動させるだけで操作レバー６１は一緒に元の位置に戻る。従って、作業者の搬送作業における操作レバー６１の戻し操作を省くことができ、搬送作業を軽減できる。以上が搬送台車基台位置停止手段５０を搬送台車基台１０と荷台２０との間に収納手段６０により収納する作用である。
【図面の簡単な説明】
【００５９】
【図１】本発明になる搬送台車の実施形態を示す正面図である。
【図２】図１の後部側から見た側面図である。
【図３】（ａ）、（ｂ）はそれぞれ本発明になる搬送台車の作用説明に供する図である。
【図４】（ａ）、（ｂ）はそれぞれ本発明搬送台車における搬送物移動停止手段４０の構成及び作用説明に供する図である。
【図５】（ａ）、（ｂ）、（ｃ）はそれぞれ本発明搬送台車における荷台前部側位置停止手段５０をセットする状態の説明に供する図である。
【図６】（ａ）、（ｂ）、（ｃ）はそれぞれ本発明搬送台車における搬送台車基台位置停止手段５０を搬送台車基台１０と荷台２０との間に収納手段６０により収納する状態の説明に供する図である。
【図７】本発明搬送台車における搬送台車基台位置停止手段５０及び収納手段６０の一部を示す前部側斜視図である。
【図８】（ａ）、（ｂ）はそれぞれ従来の搬送物搬送状態の説明に供する図である。
【符号の説明】
【００６０】
２  搬送物
１０  搬送台車基台
１１  支柱
１２  横棒
１４  停止ロック装置
１４ｂ  取付け棒
１５  荷台後部側位置停止手段
１６  荷台前部側位置停止手段
２０  荷台
２４  滑動具をなすローラーコンベアー
２５  係止ピン
３０  荷台揺動手段
３１  前部側ロッド
３２  後部側ロッド
４０  搬送物移動停止手段
４１  停止棒
５０  搬送台車基台位置停止手段
５１  ヒンジ
５２  伸長折曲金具
５３  バンパー
６０  収納手段
６１  操作レバー
６２  係止レバー
Ｌ１  前部側ロッド及び後部側ロッドの長さ
Ｌ２  荷台側ロッド間長さ
Ｌ３  搬送台車基台側ロッド間長さ
【図１】
0004952512.tif 000002
【図２】
0004952512.tif 000003
【図３】
0004952512.tif 000004
【図４】
0004952512.tif 000005
【図５】
0004952512.tif 000006
【図６】
0004952512.tif 000007
【図７】
0004952512.tif 000008
【図８】
0004952512.tif 000009